(57)【要約】【課題】  カラー印刷する際の文字や図形の輪郭部分のにじみを防止する画像処理装置および処理方法を提供する。【解決手段】  カラー画像データから少なくとも２つの色成分を含み色ずれ補正が必要な画像オブジェクトを画像判別部１０１で特定し、補正処理部１０４で、特定した画像オブジェクトの一つの色成分に対してエッジ強調処理を行い、さらに、補正処理部１０４で、特定した画像オブジェクトの他の色成分に対してエッジぼかし処理を行う。【選択図】  図１
2007088781.tif 000002
【特許請求の範囲】
【請求項１】
カラー画像データから印刷用の画像データを生成する画像処理装置において、
前記カラー画像データから少なくとも２つの色成分を含み色ずれ補正が必要な画像オブジェクトを特定する特定手段と、
前記特定手段で特定した画像オブジェクトの一つの色成分にエッジ強調処理を行うエッジ強調処理手段と、
前記特定手段で特定した画像オブジェクトの他の色成分にエッジぼかし処理を行うエッジぼかし処理手段と
を具備することを特徴とする画像処理装置。
【請求項２】
前記特定手段で特定した画像オブジェクトの色成分のうちの成分量が大きい２つの色成分を判別する判別手段
を更に具備し、
前記エッジ強調処理手段は、
前記判別手段で判別した２つの色成分のうちの１つの色成分に対してエッジ強調処理を行い、
前記エッジぼかし処理手段は、
前記判別手段で判別した２つの色成分のうちの他の色成分に対してエッジぼかし処理を行う
ことを特徴とする請求項１記載の画像処理装置。
【請求項３】
前記エッジ強調処理手段は、
前記判別手段で判別した２つの色成分のうちの成分量が大きい色成分に対してエッジ強調処理を行い、
前記エッジぼかし処理手段は、
前記判別手段で判別した２つの色成分のうちの成分量が小さい色成分に対してエッジぼかし処理を行う
ことを特徴とする請求項２記載の画像処理装置。
【請求項４】
前記エッジ強調処理手段は、
前記判別手段で判別した２つの色成分のうちの成分量が小さい色成分に対してエッジ強調処理を行い、
前記エッジぼかし処理手段は、
前記判別手段で判別した２つの色成分のうちの成分量が大きい色成分に対してエッジぼかし処理を行う
ことを特徴とする請求項２記載の画像処理装置。
【請求項５】
前記エッジ強調処理手段は、
前記判別手段で判別した２つの色成分のうちから選択された１つの色成分に対してエッジ強調処理を行い、
前記エッジぼかし処理手段は、
前記判別手段で判別した２つの色成分のうちの他の色成分に対してエッジぼかし処理を行う
ことを特徴とする請求項２記載の画像処理装置。
【請求項６】
前記エッジ強調処理手段は、
エッジ強調処理の対象となる色成分の成分量が上限値である場合は、該色成分の成分量を下げる調整を行った後前記エッジ強調処理を行う
ことを特徴とする請求項１乃至５のいずれかに記載の画像処理装置。
【請求項７】
前記特定手段は、
文字、図形を色ずれ補正が必要な画像オブジェクトとして特定する
ことを特徴とする請求項１乃至６のいずれかに記載の画像処理装置。
【請求項８】
前記特定手段は、
文字、図形で、所定の幅より小さいオブジェクトを色ずれ補正が必要な画像オブジェクトとして特定する
ことを特徴とする請求項１乃至６のいずれかに記載の画像処理装置。
【請求項９】
カラー画像データから印刷用の画像データを生成する画像処理方法において、
前記カラー画像データから少なくとも２つの色成分を含み色ずれ補正が必要な画像オブジェクトを特定手段により特定し、
前記特定手段で特定した画像オブジェクトの一つの色成分にエッジ強調処理手段によりエッジ強調処理を行い、
前記特定手段で特定した画像オブジェクトの他の色成分にエッジぼかし処理手段によりエッジぼかし処理を行う
ことを特徴とする画像処理方法。
【発明の詳細な説明】
【技術分野】
【０００１】
本発明は、印刷する際に文字や図形の輪郭部分のにじみを防止する画像処理装置および処理方法に関し、特に、カラー印刷する際の文字や図形の輪郭部分のにじみを防止する画像処理装置および処理方法に関する。
【背景技術】
【０００２】
従来より、カラー画像を印刷するプリンタが存在する。
【０００３】
そして、濃い色文字や図形を印刷すると、トナー像が乱れてエッジがぼけたり、わずかなカラーレジずれでも色がにじんでしまう。
【０００４】
例えば赤文字は、イエローのトナーとマゼンダのトナーとが、ほぼ１００％ずつ重なって再現されているが、上述のように、トナー像の乱れや、カラーレジずれで、イエローのトナーがはみだすことから、エッジが黄色くぼやけたように印刷される場合がある。
【０００５】
この現象は、特に細い文字や幅の小さい図形で顕著に表れる。
【０００６】
図７に、この現象を、印刷された文字のトナー断面と、印刷された文字を紙の上から見た様子を示す。
【０００７】
図７に示すように、トナー像の乱れや、カラーレジずれが発生しない場合には（断面図７０１）、赤の色文字は、イエローがにじんだように現れることなく印刷されるが（矢印７０２）、イエローのトナー像の乱れが発生すると（断面図７０３）、印刷される赤の色文字は、イエローがにじんだように印刷されてしまう（矢印７０４）。
【０００８】
また、カラーレジずれが発生した場合でも（断面図７０５）、印刷される赤の色文字は、イエローがにじんだように印刷されてしまう（矢印７０４）。
【０００９】
このように画像を印刷する際にトナー像の乱れやカラーレジずれによって色がにじんで印刷されてしまう現象に対して、様々な画像処理技術が提案されている。
【００１０】
カレーレジずれによって発生する文字や図形の白抜けに対しては、トラッピングという画像処理が知られている。
【００１１】
特許文献１には、黒色の文字や図形をプリンター記述言語レベルで識別し、輪郭部分はＢＬＡＣＫの色材のみで再現し、その内側をカラーを再現するのにＣＭＹＫの色材で再現する方法が提案されている。
【特許文献１】特許第３００９５４９号公報
【発明の開示】
【発明が解決しようとする課題】
【００１２】
しかし、トラッピングという画像処理は色背景内の文字や線の境界を埋める技術であり、白背景中の色文字には効果がない。
【００１３】
また、特許文献１の方法は、黒色の文字や図形に対しては効果があるが、色文字や色図形に対しては効果がなかった。
【００１４】
そこで、この発明は、カラー印刷する際の文字や図形の輪郭部分のにじみを防止する画像処理装置および処理方法を提供することを目的とする。
【課題を解決するための手段】
【００１５】
上記目的を達成する為、請求項１の発明は、カラー画像データから印刷用の画像データを生成する画像処理装置において、前記カラー画像データから少なくとも２つの色成分を含み色ずれ補正が必要な画像オブジェクトを特定する特定手段と、前記特定手段で特定した画像オブジェクトの一つの色成分にエッジ強調処理を行うエッジ強調処理手段と、前記特定手段で特定した画像オブジェクトの他の色成分にエッジぼかし処理を行うエッジぼかし処理手段とを具備することを特徴とする。
【００１６】
また、請求項２の発明は、請求項１の発明において、前記特定手段で特定した画像オブジェクトの色成分のうちの成分量が大きい２つの色成分を判別する判別手段を更に具備し、前記エッジ強調処理手段は、前記判別手段で判別した２つの色成分のうちの１つの色成分に対してエッジ強調処理を行い、前記エッジぼかし処理手段は、前記判別手段で判別した２つの色成分のうちの他の色成分に対してエッジぼかし処理を行うことを特徴とする。
【００１７】
また、請求項３の発明は、請求項２の発明において、前記エッジ強調処理手段は、前記判別手段で判別した２つの色成分のうちの成分量が大きい色成分に対してエッジ強調処理を行い、前記エッジぼかし処理手段は、前記判別手段で判別した２つの色成分のうちの成分量が小さい色成分に対してエッジぼかし処理を行うことを特徴とする。
【００１８】
また、請求項４の発明は、請求項２の発明において、前記エッジ強調処理手段は、前記判別手段で判別した２つの色成分のうちの成分量が小さい色成分に対してエッジ強調処理を行い、前記エッジぼかし処理手段は、前記判別手段で判別した２つの色成分のうちの成分量が大きい色成分に対してエッジぼかし処理を行うことを特徴とする。
【００１９】
また、請求項５の発明は、請求項２の発明において、前記エッジ強調処理手段は、前記判別手段で判別した２つの色成分のうちから選択された１つの色成分に対してエッジ強調処理を行い、前記エッジぼかし処理手段は、前記判別手段で判別した２つの色成分のうちの他の色成分に対してエッジぼかし処理を行うことを特徴とする。
【００２０】
また、請求項６の発明は、請求項１乃至５のいずれかの発明において、前記エッジ強調処理手段は、エッジ強調処理の対象となる色成分の成分量が上限値である場合は、該色成分の成分量を下げる調整を行った後前記エッジ強調処理を行うことを特徴とする。
【００２１】
また、請求項７の発明は、請求項１乃至６のいずれかの発明において、前記特定手段は、文字、図形を色ずれ補正が必要な画像オブジェクトとして特定することを特徴とする。
【００２２】
また、請求項８の発明は、請求項１乃至６のいずれかの発明において、前記特定手段は、文字、図形で、所定の幅より小さいオブジェクトを色ずれ補正が必要な画像オブジェクトとして特定することを特徴とする。
【００２３】
また、請求項９の発明は、カラー画像データから印刷用の画像データを生成する画像処理方法において、前記カラー画像データから少なくとも２つの色成分を含み色ずれ補正が必要な画像オブジェクトを特定手段により特定し、前記特定手段で特定した画像オブジェクトの一つの色成分にエッジ強調処理手段によりエッジ強調処理を行い、前記特定手段で特定した画像オブジェクトの他の色成分にエッジぼかし処理手段によりエッジぼかし処理を行うことを特徴とする。
【発明の効果】
【００２４】
本発明の画像処理装置および処理方法によれば、カラー画像データから印刷用の画像データを生成する画像処理装置において、カラー画像データから少なくとも２つの色成分を含み色ずれ補正が必要な画像オブジェクトを特定する特定手段と、特定手段で特定した画像オブジェクトの一つの色成分にエッジ強調処理を行うエッジ強調処理手段と、特定手段で特定した画像オブジェクトの他の色成分にエッジぼかし処理を行うエッジぼかし処理手段とを具備するように構成したので、カラー印刷する際の文字や図形の輪郭部分のにじみを防止することができるという効果を奏する。
【発明を実施するための最良の形態】
【００２５】
以下、本発明に係わる画像処理装置および処理方法の実施例について添付図面を参照して詳細に説明する。
【００２６】
図１は、本発明に係わる画像処理装置における構成について示したブロック図である。
【００２７】
本発明に係わる画像処理装置は、プリンタに画像判別部１０１、画像生成部１０２、補正判別部１０３、補正処理部１０４を備えて構成される。
【００２８】
ここで、画像判別部１０１は、本発明に係わる画像処理装置に入力されるページ記述言語で記述された画像データを解析して、画像データ中に文字や図形が含まれているか否かを判別し、文字や図形が含まれている場合には、トナー像の乱れやカラーレジずれによる輪郭部分のにじみを防止する処理が必要であると判別する。
【００２９】
また、画像生成部１０２は、本発明に係わる画像処理装置に入力されるページ記述言語で記述された画像データよりビットマップ形式の印刷可能な画像データを生成する。
【００３０】
また、補正判別部１０３は、画像生成部１０２で生成されたビットマップ形式の印刷可能な画像データ中に存在するオブジェクトの内、カラーで表現されたオブジェクトに関して、減色法のシアン、マゼンダ、イエローの３種の色の中からオブジェクトのエッジを強調する色とオブジェクトのエッジをぼかす色を選択する。
【００３１】
また、補正処理部１０４は、補正判別部１０３で判定された色に関して、エッジを強調する処理とエッジをぼかす処理等の処理を行い、印刷用の画像データとして送信する。
【００３２】
画像処理装置に入力されたページ記述言語で記述された画像データは、画像判別部１０１と画像生成部１０２に送られ、画像判別部１０１で送られた画像データは輪郭部分のにじみを防止する処理が必要であるか否かが判別され、また画像生成部１０２で送られた画像データよりビットマップ形式の印刷可能な画像データに変換される。
【００３３】
そして、輪郭部分のにじみを防止する処理が必要な場合には、補正判別部１０３で、画像生成部１０２で生成された画像データのオブジェクトに行う補正の詳細が決定され、補正処理部１０４で補正が行われる。
【００３４】
そして、補正処理部１０４より、輪郭部分のにじみを防止する補正処理が行われた印刷用の画像データが図示しない印刷部に送られて、印刷が行われる。
【００３５】
次に、補正処理部１０４で行われる処理について図２を参照して説明を行う。
【００３６】
図２は、補正処理部１０４で行われる処理について示したブロック図である。
【００３７】
補正処理部１０４は、減色法の３つの色成分であるシアンに関する補正処理を行うシアン処理部１１０、マゼンダに関する補正処理を行うマゼンダ処理部１２０、イエローに関する補正処理を行うイエロー処理部１３０、補正処理が行われたオブジェクトのデータを合成するデータ合成部１４０が備えられている。
【００３８】
また、シアン処理部１１０には入力されたシアンに関するオブジェクトを表す画像データをエッジ強調マトリックスによってエッジ強調処理を行うエッジ強調部１１１、入力されたシアンに関するオブジェクトを表す画像データをエッジぼかしマトリックスによってエッジぼかし処理を行うエッジぼかし部１１２、補正判別部１０３より受け取ったフラグにより、オブジェクトのシアンの画像データはどの処理が行われた画像データをシアン処理部１１０より排出するかを選択する選択部１１３が備えられている。
【００３９】
また、マゼンダ処理部１２０には入力されたマゼンダに関するオブジェクトを表す画像データをエッジ強調マトリックスによってエッジ強調処理を行うエッジ強調部１２１、入力されたマゼンダに関するオブジェクトを表す画像データをエッジぼかしマトリックスによってエッジぼかし処理を行うエッジぼかし部１２２、補正判別部１０３より受け取ったフラグにより、オブジェクトのマゼンダの画像データはどの処理が行われた画像データをマゼンダ処理部１２０より排出するかを選択する選択部１２３が備えられている。
【００４０】
また、イエロー処理部１３０には入力されたイエローに関するオブジェクトを表す画像データをエッジ強調マトリックスによってエッジ強調処理を行うエッジ強調部１３１、入力されたイエローに関するオブジェクトを表す画像データをエッジぼかしマトリックスによってエッジぼかし処理を行うエッジぼかし部１３２、補正判別部１０３より受け取ったフラグにより、オブジェクトのイエローの画像データはどの処理が行われた画像データをシアン処理部１３０より排出するかを選択する選択部１３３が備えられている。
【００４１】
補正判別部１０３では、画像生成部１０２で生成された印刷可能な画像データに含まれるオブジェクトのうち、画像判別部１０１で輪郭部分のにじみを防止する補正処理が必要と判別されたオブジェクトについて、補正が必要なオブジェクトの色に応じて、減色法の３色の補正の詳細を決定する。
【００４２】
例えば、補正が必要なオブジェクトの色が「赤」である場合には、赤の減色法による表現は（イエロー、マゼンダ、シアン）＝（２３０、２５５、３）であるので、該オブジェクトを表現するイエローの画像データに対してはエッジを強調する補正処理を行うように決定され、該オブジェクトを表現するマゼンダの画像データに対してはエッジをぼかす補正処理を行うように決定され、該オブジェクトのシアンを表現するシアンの画像データに対しては何もしないように決定される。
【００４３】
なぜならば、赤の色成分において、イエローは２３０と２番目に大きい成分であるのでエッジを強調する補正処理と決定され、マゼンダは２５０と最も大きい成分であるのでエッジをぼかす補正処理と決定され、シアンは３と最も小さい成分であるので何もしないことが決定される。
【００４４】
そして、補正が必要なオブジェクトの画像データは、補正判別部１０３で減色法の３色の画像データに分けられ、該オブジェクトを表現するイエローの画像データは補正判別部１０３より補正処理部１０４のイエロー処理部１３０に送られ、該オブジェクトを表現するマゼンダの画像データは補正判別部１０３よりマゼンダ処理部１２０に送られ、該オブジェクトを表現するシアンの画像データは補正判別部１０３よりシアン処理部１１０に送られる。
【００４５】
また、補正判別部１０３より、イエロー処理部１３０、マゼンダ処理部１２０、シアン処理部１１０に送られるデータとして、補正判別部１０３で決定された処理の内容を示した処理選択フラグのデータがそれぞれ、イエロー処理部１３０の選択部１３３、マゼンダ処理部１２０の選択部１２３、シアン処理部１１０の選択部１１３に送られる。
【００４６】
各選択部に送られた処理選択フラグの内容に基づき、各色の画像データは、補正処理の内容が決定される。
【００４７】
上述の例の「赤」のオブジェクトが補正される場合には、該オブジェクトのイエローの画像データがイエロー処理部１３０のエッジ強調部１３１とエッジぼかし部１３２と選択部１２３に送られ、また、処理選択フラグとしてエッジを強調する内容の処理選択フラグが選択部１３３に送られる。
【００４８】
また、該オブジェクトのマゼンダの画像データがマゼンダ処理部１２０のエッジ強調部１２１とエッジぼかし部１２２と選択部１２３に送られ、また、処理選択フラグとしてエッジをぼかす内容の処理選択フラグが選択部１２３に送られる。
【００４９】
また、該オブジェクトのシアンの画像データがシアン処理部１１０のエッジ強調部１１１とエッジぼかし部１１２と選択部１１３に送られ、また、処理選択フラグとして何もしない内容の処理選択フラグが選択部１１３に送られる。
【００５０】
イエローの画像データとエッジを強調する内容の処理選択フラグが送られたイエロー処理部１３０では、送られたイエローの画像データがエッジ強調部１３１でエッジ強調マトリクスによるエッジが強調される画像処理が行われ、また、送られたイエローの画像データがエッジぼかし部１３２でエッジぼかしマトリクスによるエッジがぼかしされる画像処理が行われる。
【００５１】
そして、イエロー処理部１３０内の選択部１３３では、補正判別部１０３より送られた処理選択フラグであるエッジを強調する内容の処理選択フラグに基づき、エッジ強調部１３１で画像処理が行われた画像データをデータ合成部１４０に送る。
【００５２】
また、マゼンダ処理部１２０内の選択部１２３では、補正判別部１０３より送られた処理選択フラグであるエッジをぼかす内容の処理選択フラグに基づき、エッジぼかし部１２２で画像処理が行われた画像データをデータ合成部１４０に送る。
【００５３】
また、シアン処理部１１０内の選択部１１３では、補正判別部１０３より送られた処理選択フラグである何もしない内容の処理選択フラグに基づき、シアン処理部１１０内で何も処理されなかった補正判別部１０３より送られたシアンの画像データをデータ合成部１４０に送る。
【００５４】
イエロー処理部１３０、マゼンダ処理部１２０、シアン処理部１１０より、それぞれイエロー、マゼンダ、シアンの画像データが送られたデータ合成部１４０では、送られた画像データを蓄積する。
【００５５】
このようにして、画像生成部１０２で生成された印刷用の画像データ中のオブジェクトのうち輪郭部分のにじみを防止する補正処理が必要なオブジェクトは、該補正処理が行われる。
【００５６】
また、画像生成部１０２で生成された印刷用の画像データ中オブジェトの中でオブジェクトの輪郭部分のにじみを防止する画像処理が不必要なオブジェクトに関しては、該オブジェクトを表現する減色法の３色の画像データが、何もしない内容を示す処理選択フラグと共に、イエロー処理部１３０、マゼンダ処理部１２０、シアン処理部１１０に送られ、そしてデータ合成部１４０に送られる。
【００５７】
そして、データ合成部１４０で、補正処理が行われた画像データと補正処理が行われなかった画像データを合成して、印刷用の画像データを作成し、作成された印刷用の画像データは図示しない印刷部に送られ、印刷が行われる。
【００５８】
次に、輪郭部分のにじみを防止する必要のあるオブジェクトの画像データが、補正判別部１０３で判定処理が行われて、補正処理部１０４で補正処理が行われるイメージについて図３を参照して説明する。
【００５９】
図３は、輪郭部分のにじみを防止する必要のあるオブジェクトの画像データが、補正判別部１０３で判別処理が行われて、補正処理部１０４で補正処理が行われるイメージについて説明したイメージ図である。
【００６０】
図３に示すように、輪郭部分のにじみを防止する必要のあるオブジェクトの画像データ３０１は、補正判定部１０３で減色法の３色（イエロー、マゼンダ、シアン）の画像データについて、補正内容の詳細が決定される。
【００６１】
つまり、画像データ３０１の色を減色法の３色で表現した際に、最も大きい色成分の画像データにエッジをぼかす補正処理を行い、２番目に大きい色成分の画像データにエッジを強調する補正処理を行い、最も小さい色成分の画像データには補正処理を何もしないと決定される。
【００６２】
よって、画像データ３０１の、イエローを示す画像データ３０２はエッジ強調されることが決定され、マゼンダを示す画像データ３０３はエッジぼかし処理されることが決定され、シアンを示す画像データ３０４は何も処理されないことが決定される。
【００６３】
このように補正内容の詳細が決定されると、決定された内容は処理選択フラグとして補正処理部１０４の各色の選択部に送られ、イエロー処理部１３０、マゼンダ処理部１２０、シアン処理部１１０でそれぞれの色の画像データの補正処理が行われる。
【００６４】
そして、イエロー処理部１３０、マゼンダ処理部１２０、シアン処理部１１０では、エッジ強調処理の内容の処理選択フラグが送られた選択部１３３からエッジ強調処理された画像データ３０５がデータ合成部１４０に送られ、エッジぼかし処理の内容の処理選択フラグが送られた選択部１２３からエッジぼかし処理された画像データ３０６がデータ合成部１４０に送られ、何も処理しない内容の処理選択フラグが送られた選択部１１３から何も処理されなかった画像データ３０７がデータ合成部１４０に送られる。
【００６５】
次に、補正処理部１０４で行われる補正処理に使用される、エッジ強調マトリクスとエッジぼかしマトリクスについて図４を参照して説明する。
【００６６】
図４は、補正処理部１０４で行われる補正処理に使用される、エッジ強調マトリクスとエッジぼかしマトリクスについて示した表であり、図４（ａ）はエッジ強調マトリクスであり、図４（ｃ）はエッジぼかしマトリクスである。
【００６７】
図４（ａ）に示すマトリクスによって画像処理されることで、例えば図３に示した画像データ３０２は、成分量が２３０から、エッジの部分の成分量が２５３である画像データ３０５となるようにエッジ強調の画像処理が行われる。
【００６８】
また、図４（ｂ）に示すマトリクスによって画像処理されることで、例えば図３に示した画像データ３０３は、成分量が２５５から、エッジの部分の成分量が２４２である画像データ３０６となるようにエッジぼかしの画像処理が行われる。
【００６９】
なお、減色法の３色のそれぞれに画像データに補正内容の詳細が決定される際には、上述したように色成分の大小によって決定されるのではなく、輪郭部分のにじみを防止する必要のあるオブジェクトの画像データ３０１の色に基づいて作成された補正内容決定表より、該オブジェクトの減色法３色のそれぞれの画像データの補正内容の詳細が決定されるようにしてもよい。
【００７０】
次に、輪郭部分のにじみを防止する必要のあるオブジェクトの減色法３色のそれぞれの画像データの補正内容の詳細が決定される補正内容決定表について図５を参照して説明を行う。
【００７１】
図５は、輪郭部分のにじみを防止する必要のあるオブジェクトの減色法３色のそれぞれの画像データの補正内容の詳細が決定される補正内容決定表を示した表である。
【００７２】
図５に示すように、頻繁に使用される代表的な色については、該色を使用したオブジェクトがにじみを起こさないように、該色を表す減色法の３色の補正処理の内容を予め決定して表にまとめておくこともできる。
【００７３】
例えば、輪郭部分のにじみを防止する必要のあるオブジェクトの色が赤である場合には、図５に示す表に基づいて、該オブジェクトのイエローの画像データはエッジ強調処理されるように補正判定部１０３で決定され、該オブジェクトのマゼンダの画像データはエッジぼかし処理されるように補正判定部１０３で決定され、該オブジェクトのシアンの画像データは何も処理されないように補正判定部１０３で決定される。
【００７４】
次に、本発明の画像処理装置に画像が入力されて輪郭部分のにじみの防止の処理が行われる処理フローについて図６を参照して説明を行う。
【００７５】
図６は、本発明の画像処理装置に画像が入力されて輪郭部分のにじみの防止の処理が行われる処理フローについて示したフローチャートである。
【００７６】
本発明の画像処理装置にページ記述言語で記述された画像データが入力されると（ステップ６０１、画像判別部１０１において、入力された画像データが輪郭部のにじみを防止する処理が必要なオブジェクトを含んでいるかどうかが判別される（ステップ６０２）。
【００７７】
本発明の画像処理装置に入力されたページ記述言語で記述された画像データが、輪郭部のにじみを防止する処理が必要なオブジェクトを含んでいない場合には（ステップ６０３でＮＯ）、該画像データが画像生成部１０２で印刷用の画像データに生成され図示しない印刷部に送られて印刷される（ステップ６０６）。
【００７８】
また、本発明の画像処理装置に入力されたページ記述言語で記述された画像データが、輪郭部のにじみを防止する処理が必要なオブジェクトを含んでいる場合には（ステップ６０３でＹＥＳ）、該画像データは、画像生成部１０２で印刷用の画像データに生成され、補正判定部１０３において、補正処理が行われるオブジェクトを減色法の３色で示したそれぞれの色の画像データの補正処理の内容が決定される（ステップ６０４）。
【００７９】
そして、補正処理の内容が決定されると、補正処理部１０４で補正処理が行われるオブジェクトを減色法の３色で示したそれぞれの色の画像データの補正処理が行われ、補正処理が行われた画像データが合成される（ステップ６０５）。
【００８０】
補正処理部１０４で合成された画像データは、図示しない印刷部に送られて印刷される（ステップ６０６）。
【００８１】
このように処理されることで、プリンタに入力されたカラー画像データ中の文字や図形の輪郭部分のにじみを防止して印刷することができる。
【００８２】
なお、本発明に係わる画像処理装置は、画像判別部１０１において、入力されるページ記述言語で記述された画像データを解析した結果、画像データ中に文字や図形が含まれているか否かを判別して、文字や図形が含まれている場合に、にじみ防止する処理が必要であると判別するように説明したが、画像判別部１０１は、入力される画像データ中に含まれる文字や図形が所定の幅より小さいオブジェクトである場合に、にじみ防止する処理が必要であると判別するようにすることもできる。
【００８３】
なお、図４を参照して説明した、補正処理部１０４で補正処理の際に使用されるエッジ強調マトリクスとエッジぼかしマトリクスについては、マトリクスの係数や大きさを適時変更してもよい。
【００８４】
なお、補正処理部１０４で行われるエッジぼかし処理とエッジ強調処理については、本実施例で示した手法に限定されるものではなく、処理が行われる画像データの輪郭を抽出してその部分の画素値を下げる手法等の、他の手法によってエッジぼかし処理やエッジ強調処理が行われてもよい。
【産業上の利用可能性】
【００８５】
この発明は、カラー画像データを印刷することができるプリンタにおいて利用可能である。
【００８６】
この発明によれば、カラー印刷する際の文字や図形の輪郭部分のにじみを防止することができる。
【図面の簡単な説明】
【００８７】
【図１】本発明に係わる画像処理装置における構成について示したブロック図。
【図２】補正処理部１０４で行われる処理について示したブロック図。
【図３】輪郭部分のにじみを防止する必要のあるオブジェクトの画像データが、補正判別部１０４で判別処理が行われて、補正処理部１０４で補正処理が行われるイメージについて説明したイメージ図。
【図４】補正処理部１０４で行われる補正処理に使用される、エッジ強調マトリクスとエッジぼかしマトリクスについて示した表。
【図５】輪郭部分のにじみを防止する必要のあるオブジェクトの減色法３色のそれぞれの画像データの補正内容の詳細が決定される補正内容決定表を示した表。
【図６】本発明の画像処理装置に画像が入力されて輪郭部分のにじみの防止の処理が行われる処理フローについて示したフローチャート。
【図７】カラー画像データが印刷された際に、トナー像の乱れやカラーレジずれによって文字や図形の輪郭部分ににじみが発生する様子を示した模式図。
【符号の説明】
【００８８】
１０１    画像判別部
１０２    画像生成部
１０３    補正判別部
１０４    補正処理部
１１０    シアン処理部
１１１    エッジ強調部
１１２    エッジぼかし部
１１３    選択部
１２０    マゼンダ処理部
１２１    エッジ強調部
１２２    エッジぼかし部
１２３    選択部
１３０    イエロー処理部
１３１    エッジ強調部
１３２    エッジぼかし部
１３３    選択部
１４０    データ合成部
【図１】
2007088781.tif 000003
【図２】
2007088781.tif 000004
【図３】
2007088781.tif 000005
【図４】
2007088781.tif 000006
【図５】
2007088781.tif 000007
【図６】
2007088781.tif 000008
【図７】
2007088781.tif 000009